【手続補正書】
【提出日】平成26年8月5日(2014.8.5)
【手続補正１】
【補正対象書類名】特許請求の範囲
【補正対象項目名】全文
【補正方法】変更
【補正の内容】
【特許請求の範囲】
【請求項１】
架橋されたネットワークを含むポリマー組成物であって、
前記ネットワークが、
ａ）下式
【化１】
2013538262.tif 000001
を有する第１の反復単位
（式中、Ｒ１は、置換又は非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、又はＣ５〜Ｃ３６ヘテロアリーレンであり、
Ｌ１は、−（ＣＨ２）ｎ−、−（ＨＣＣＨ）ｎ−、−Ｏ−、−Ｓ−、−ＳＯ−、−ＳＯ２−、−ＳＯ３−、−ＯＳＯ２−、−ＮＲ２−、−ＣＯ−、−ＣＯＯ−、−ＯＣＯ−、−ＯＣＯＯ−、−ＣＯＮＲ３−、−ＮＲ４ＣＯ−、−ＯＣＯＮＲ５−、−ＮＲ６ＣＯＯ−、又は−ＮＲ７ＣＯＮＲ８−であり、
Ａｒ１は、少なくとも３個のヨウ素原子を有するヨウ素化されたＣ５〜Ｃ３０アリール、又は少なくとも３個のヨウ素原子を有するヨウ素化されたＣ５〜Ｃ３０ヘテロアリールであり、
Ｒ２〜Ｒ８のそれぞれは、独立に水素又はＣ１〜Ｃ１０アルキルであり、
ｎは、１〜１０の範囲より選択される整数である）と、
ｂ）下式
【化２】
2013538262.tif 000002
を有する第２の反復単位
（式中、Ｒ９は、オリゴマーのポリカーボネートである）と
を含む、ポリマー組成物。
【請求項２】
Ｒ１が、Ｃ２〜Ｃ６アルキレン又は−ＣＨ２ＣＨ２ＳＣＨ２ＣＨ２−である、請求項１に記載のポリマー組成物。
【請求項３】
Ａｒ１が、ヨウ素原子の数が３〜５で、アリール環に直接連結したヨウ素原子を有するＣ６アリールである、請求項１に記載のポリマー組成物。
【請求項４】
Ｌ１が、エステル又はアミドである、請求項１〜３のいずれか一項に記載のポリマー組成物。
【請求項５】
前記オリゴマーのカーボネートが、ポリ（Ｃ２〜Ｃ３６カーボネート）である、請求項１〜４のいずれか一項に記載のポリマー組成物。
【請求項６】
前記オリゴマーのカーボネートの反復単位が、
【化３】
2013538262.tif 000003
（式中、Ｒ１１は、Ｃ３〜Ｃ２０アルキレンである）
である、請求項１〜４のいずれか一項に記載のポリマー組成物。
【請求項７】
前記反復単位の数が１〜５０である、請求項６に記載のポリマー組成物。
【請求項８】
前記ネットワークが、スチレン、アクリルアミド、又はメタクリルアミド基を含む単官能のヨウ素化されたモノマー、に由来する反復単位をさらに有する、請求項１〜７のいずれか一項に記載のポリマー組成物。
【請求項９】
前記ネットワークが、下式
【化４】
2013538262.tif 000004
を有する反復単位
（式中、Ｒ１４は、置換又は非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、Ｃ５〜Ｃ３６ヘテロアリーレン、オリゴマーのポリエステル、オリゴマーのポリウレタン、
【化５】
2013538262.tif 000005
、又は
【化６】
2013538262.tif 000006
であり、
Ｒ１０は、Ｃ４〜Ｃ２０アルキレンであり、ｎ３は、１〜５０の整数であり、又は
Ｒ１１は、Ｃ３〜Ｃ２０アルキレンであり、ｎ４は、１〜５０の整数であり、
Ｒ１４は、Ｒ９以外である）
をさらに含む、請求項１〜８のいずれか一項に記載のポリマー組成物。
【請求項１０】
前記ポリマー組成物が、実質的に非結晶性である、請求項１〜９のいずれか一項に記載のポリマー組成物。
【請求項１１】
前記ポリマー組成物が、形状記憶ポリマー組成物である、請求項１〜１０のいずれか一項に記載のポリマー組成物。
【請求項１２】
モノマー混合物の重合により形成された、架橋されたネットワークを含むポリマー組成物であって、
前記モノマー混合物が、
ａ）一般構造
【化７】
2013538262.tif 000007
を有する第１のモノマー
（式中、Ｒ１は、置換又は非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、又はＣ５〜Ｃ３６ヘテロアリーレンであり、
Ｌ１は、−（ＣＨ２）ｎ−、−（ＨＣＣＨ）ｎ−、−Ｏ−、−Ｓ−、−ＳＯ−、−ＳＯ２−、−ＳＯ３−、−ＯＳＯ２−、−ＮＲ２−、−ＣＯ−、−ＣＯＯ−、−ＯＣＯ−、−ＯＣＯＯ−、−ＣＯＮＲ３−、−ＮＲ４ＣＯ−、−ＯＣＯＮＲ５−、−ＮＲ６ＣＯＯ−、又は−ＮＲ７ＣＯＮＲ８−であり、
Ａｒ１は、少なくとも３個のヨウ素原子を有するヨウ素化されたＣ５〜Ｃ３０アリール、又は少なくとも３個のヨウ素原子を有するヨウ素化されたＣ５〜Ｃ３０ヘテロアリールであり、
Ｒ２〜Ｒ８のそれぞれは、独立に水素又はＣ１〜Ｃ１０アルキルであり、
ｎは、１〜１０の範囲より選択される整数である）と、
ｂ）一般構造
【化８】
2013538262.tif 000008
を有する第２のモノマー
（式中、Ｒ９は、オリゴマーのポリカーボネートである）と
を含む、ポリマー組成物。
【請求項１３】
Ｒ１が、Ｃ２〜Ｃ６アルキレン又は−ＣＨ２ＣＨ２ＳＣＨ２ＣＨ２−である、請求項１２に記載のポリマー組成物。
【請求項１４】
Ａｒ１が、ヨウ素原子の数が３〜５で、アリール環に直接連結したヨウ素原子を有するＣ６アリールである、請求項１２に記載のポリマー組成物。
【請求項１５】
Ｌ１が、エステル又はアミドである、請求項１２〜１４のいずれか一項に記載のポリマー組成物。
【請求項１６】
前記第２のモノマーが、ポリ（Ｃ２〜Ｃ３６カーボネート）ジアクリレートである、請求項１２〜１５のいずれか一項に記載のポリマー組成物。
【請求項１７】
前記第２のモノマーの分子量が２００〜２０００である、請求項１２〜１６のいずれか一項に記載のポリマー組成物。
【請求項１８】
前記オリゴマーのカーボネートの反復単位が、
【化９】
2013538262.tif 000009
（式中、Ｒ１１は、Ｃ３〜Ｃ２０アルキレンである）
である、請求項１２〜１７のいずれか一項に記載のポリマー組成物。
【請求項１９】
前記反復単位の数が１〜５０である、請求項１８に記載のポリマー組成物。
【請求項２０】
前記モノマー混合物が、スチレン、アクリルアミド、又はメタクリルアミド基を含む単官能のヨウ素化されたモノマー、をさらに含む、請求項１２〜１９のいずれか一項に記載のポリマー組成物。
【請求項２１】
前記モノマー混合物が、一般構造
【化１０】
2013538262.tif 000010
を有する第３のモノマー
（式中、Ｒ１４は、置換又は非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、Ｃ５〜Ｃ３６ヘテロアリーレン、オリゴマーのポリエステル、オリゴマーのポリウレタン、
【化１１】
2013538262.tif 000011
、又は
【化１２】
2013538262.tif 000012
であり、
Ｒ１０は、Ｃ４〜Ｃ２０アルキレンであり、ｎ３が、１〜５０の整数であり、又は
Ｒ１１は、Ｃ３〜Ｃ２０アルキレンであり、ｎ４が、１〜５０の整数であり、
Ｒ１４は、Ｒ９以外である）
をさらに含む、請求項１２〜２０のいずれか一項に記載のポリマー組成物。
【請求項２２】
前記第２のモノマーは、前記第３のモノマーよりも高分子量であり、前記第２のモノマーの重量割合が１０〜５５ｗｔ％で、前記第３のモノマーの重量割合が１〜３５ｗｔ％である、請求項２１に記載のポリマー組成物。
【請求項２３】
前記ポリマー組成物が、実質的に非結晶性である、請求項１２〜２２のいずれか一項に記載のポリマー組成物。
【請求項２４】
前記ポリマー組成物が、形状記憶ポリマー組成物である、請求項１２〜２３のいずれか一項に記載のポリマー組成物。
【請求項２５】
架橋されたネットワークを含む記憶ポリマー組成物を製造する方法であって、
ａ）一般構造
【化１３】
2013538262.tif 000013
を有する第１のモノマー
（式中、Ｒ１は、置換又は非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、又はＣ５〜Ｃ３６ヘテロアリーレンであり、
Ｌ１は、−（ＣＨ２）ｎ−、−（ＨＣＣＨ）ｎ−、−Ｏ−、−Ｓ−、−ＳＯ−、−ＳＯ２−、−ＳＯ３−、−ＯＳＯ２−、−ＮＲ２−、−ＣＯ−、−ＣＯＯ−、−ＯＣＯ−、−ＯＣＯＯ−、−ＣＯＮＲ３−、−ＮＲ４ＣＯ−、−ＯＣＯＮＲ５−、−ＮＲ６ＣＯＯ−、又は−ＮＲ７ＣＯＮＲ８−であり、
Ａｒ１は、少なくとも３個のヨウ素原子を有するヨウ素化されたＣ５〜Ｃ３６アリール、又は少なくとも３個のヨウ素原子を有するヨウ素化されたＣ５〜Ｃ３６ヘテロアリールであり、
Ｒ２〜Ｒ８のそれぞれは、独立に水素又はＣ１〜Ｃ１０アルキルであり、
ｎは、１〜１０の範囲より選択される整数である）と、
一般構造
【化１４】
2013538262.tif 000014
を有する第２のモノマー
（式中、Ｒ９は、オリゴマーのポリカーボネートである）と
フリーラジカル開始剤と
を含むモノマー混合物を形成するステップ、及び
ｂ）前記モノマー混合物を重合するステップ
を含む、前記方法。
【請求項２６】
前記モノマー混合物が、実質的に均一である、請求項２５に記載の方法。
【請求項２７】
ステップｂ）の期間中、前記モノマー混合物が、６５℃と１５０℃の間の温度に維持される、請求項２５又は２６に記載の方法。
【請求項２８】
前記開始剤が、光重合開始剤である、請求項２５〜２７のいずれか一項に記載の方法。
【請求項２９】
前記開始剤が、熱重合開始剤である、請求項２５〜２８のいずれか一項に記載の方法。
【請求項３０】
ステップｂ）の後に硬化ステップをさらに含み、前記硬化の温度が、５０℃〜１５０℃であり、硬化時間が５秒〜６０分である、請求項２５〜２９のいずれか一項に記載の方法。
【請求項３１】
Ｒ１が、Ｃ２〜Ｃ６アルキレン又は−ＣＨ２ＣＨ２ＳＣＨ２ＣＨ２−である、請求項２５〜３０のいずれか一項に記載の方法。
【請求項３２】
Ａｒ１が、ヨウ素原子含有基により置換された少なくとも３つの環部位を有する、ヨウ素化されたＣ５〜Ｃ３０アリール又はＣ５〜Ｃ３０ヘテロアリールである、請求項２５〜３１のいずれか一項に記載の方法。
【請求項３３】
Ｌ１が、エステル又はアミドである、請求項２５〜３２のいずれか一項に記載の方法。
【請求項３４】
前記第２のモノマーがポリ（Ｃ２〜Ｃ３６カーボネート）ジアクリレートである、請求項２５〜３３のいずれか一項に記載の方法。
【請求項３５】
前記第２のモノマーの分子量が２００〜２０００である、請求項２５〜３４のいずれか一項に記載の方法。
【請求項３６】
前記オリゴマーのカーボネートの反復単位が、
【化１５】
2013538262.tif 000015
（式中、Ｒ１１は、Ｃ３〜Ｃ２０アルキレンである）
である、請求項２５〜３５のいずれか一項に記載の方法。
【請求項３７】
前記反復単位の数が１〜５０である、請求項３６に記載の方法。
【請求項３８】
前記モノマー混合物が、スチレン、アクリルアミド、又はメタクリルアミド基を含む単官能のヨウ素化されたモノマー、をさらに含む、請求項２５〜３７のいずれか一項に記載の方法。
【請求項３９】
前記モノマー混合物が、一般構造
【化１６】
2013538262.tif 000016
を有する第３のモノマー、
（式中、Ｒ１４は、置換又は非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、Ｃ５〜Ｃ３６ヘテロアリーレン、オリゴマーのポリエステル、オリゴマーのポリウレタン、
【化１７】
2013538262.tif 000017
、又は
【化１８】
2013538262.tif 000018
であり、
Ｒ１０は、Ｃ４〜Ｃ２０アルキレンであり、ｎ３は、１〜５０の整数であり、又は
Ｒ１１は、Ｃ３〜Ｃ２０アルキレンであり、ｎ４は、１〜５０の整数であり、
Ｒ１４は、Ｒ９以外である）をさらに含む、請求項２５〜３８のいずれか一項に記載の方法。
【請求項４０】
前記第２のモノマーは、前記第３のモノマーよりも高分子量であり、前記第２のモノマーの重量割合が１０〜５５ｗｔ％で、前記第３のモノマーの重量割合が１〜３５ｗｔ％である、請求項３９に記載の方法。
【請求項４１】
医学用途で用いられる非金属性の放射線不透過性ポリマーデバイスであって、前記デバイス又はデバイスフィーチャが請求項１〜２４のいずれか一項に記載のポリマー組成物を含む、前記デバイス。
【請求項４２】
前記放射線不透過性ポリマー中のヨウ素の濃度が、少なくとも５１０ｍｇ／ｍｍ３である、請求項４１に記載のデバイス。
【請求項４３】
水の取り込みに関する前記デバイスの特性が、２４時間で１．０重量％未満である、水性体液への曝露を含む医学的用途で用いられる、請求項４１に記載のデバイス。
【請求項４４】
前記ポリマーが、２５℃〜５０℃の間のガラス転位温度（Ｔｇ）、及び３７℃で０．１ＭＰａ〜１５ＭＰａの間のゴム弾性率を有する形状記憶ポリマーである、請求項４１に記載のデバイス。
【請求項４５】
前記ポリマーが、ガラス転位温度（Ｔｇ）と温度に関連づけられたｔａｎδ（損失弾性率／貯蔵弾性率の比）曲線とを示し、前記ポリマーの最大形状変化速度が、Ｔｇよりも高く材料のｔａｎδ値がそのピーク値の６０％以下となる温度と一致する作動環境温度（Ｔｏ）で生ずる、請求項４１に記載のデバイス。
【請求項４６】
ａ．開通した解剖学上の管腔を開通又は維持する、
ｂ．あらゆる生理的な流体若しくは気体の流通、又は適用される治療用の流体又は気体の流通のために、弁として部分的に、又は管腔の完全閉塞として、解剖学上の管腔を閉鎖する、
ｃ．解剖学的構造を支持して臓器、血管、消化、排泄、又は気道の機能を治療して復元する際に助けとなる、
ｄ．解剖学的構造を支持して整形外科上、顎顔面、脊髄、関節、又はその他の骨格の機能を治療して復元する際に助けとなる、
ｅ．肝臓又はその他の臓器の止血のような、組織を切開又は切除した後の領域を覆うこと、パッチ、による止血を支援する、
機能を提供するための留置永久インプラントを目的とする、請求項４１に記載のデバイス。
【請求項４７】
ａ．解剖学的な場所にアクセスする、別のデバイス及び／若しくは治療薬を送達する、又は別のデバイス及び／若しくは治療薬のアクセス又は送達を制御するためのカテーテル、又は
ｂ．例えば血液の塊を捕捉するためにある期間留置され、その後治療期間が完了したら除去される、血管内に配置される大静脈フィルターのような、時限的治療ベネフィットを提供する一時的に留置するデバイス
の機能を提供する、診断又は治療用の用具又はデバイスを目的とする、請求項４１に記載のデバイス。